(57)【要約】【課題】その上で作業者の歩行が可能な程度に剛性を有し、かつ施工現場において容易に寸法を調整することの可能な断熱パネル及び、当該断熱パネルを使用した、建築物の面断熱構造を提供することを目的とする。【解決手段】合成樹脂発泡体２の表面に板体３を設け、当該板体３の少なくとも一縁に折曲げ部５を形成し、当該折曲げ部５を前記合成樹脂発泡体２の側面の一部に沿わせる。また相対向する二縁に折曲げ部５を形成した第一断熱パネル１ａと、一縁にのみ折曲げ部５を形成した第二断熱パネル１ｂとを組み合わせ、建築物の面断熱構造を形成する。【選択図】          図１
2004332269.tif 000002
【特許請求の範囲】
【請求項１】
合成樹脂発泡体（２）の表面に剛直な板体（３）を設け、当該板体（３）の少なくとも一縁に折曲げ部（５）を形成し、当該折曲げ部（５）を前記合成樹脂発泡体（２）の側面の一部に沿わせたことを特徴とする、断熱パネル
【請求項２】
前記合成樹脂発泡体（２）の側面に切り欠き（４）を形成し、当該切り欠き（４）に前記板体（３）の折曲げ部（５）を嵌合したことを特徴とする、請求項１に記載の断熱パネル
【請求項３】
請求項１又は２における板体（３）の相対向する二縁に折曲げ部（５）を形成してなる複数の第一断熱パネル（１ａ）を、建築物の面に敷き詰め、当該面の縁とその縁に対向する前記第一断熱パネル（１ａ）との間に沿って、請求項１又は２における板体（３）の一縁にのみ折曲げ部（５）を形成してなる第二断熱パネル（１ｂ）を配し、当該第二断熱パネル（１ｂ）の合成樹脂発泡体（２）を、前記折曲げ部（５）を形成しない縁から、前記面の縁と第一断熱パネル（１ａ）との間隔に相当する幅を残して切除し、残った合成樹脂発泡体（２）を第一断熱パネル（１ａ）と前記面の縁との間に嵌合すると共に、切除した合成樹脂発泡体（２）の部分に対応する部分の板体（３）を隣接する第一断熱パネル（１ａ）の表面に重ねてなることを特徴とする、建築物の面断熱構造
【請求項４】
請求項１又は２における板体（３）の相対向する二縁に折曲げ部（５）を形成してなる複数の第一断熱パネル（１ａ）を、建築物の面の一縁に沿って配置し、請求項１又は２における板体（３）の一縁にのみ折曲げ部（５）を形成してなる第二断熱パネル（１ｂ）の、前記折曲げ部（５）を形成しない縁から適宜の幅で合成樹脂発泡体（２）を切除し、当該切除した合成樹脂発泡体（２）に対応する部分の板体（３）を隣接する断熱パネル（１）の表面に重ねつつ、第二断熱パネル（１ｂ）を前記建築物の残余の面に敷き詰めてなることを特徴とする、建築物の面断熱構造
【発明の詳細な説明】
【０００１】
【発明の属する技術分野】
本発明は、建築物の屋根又は壁などの面部分に外断熱構造を付与するための断熱パネル及び、当該断熱パネルを使用した、建築物の面断熱構造に関するものである。
【０００２】
【従来の技術】
一般に建築物の屋根や壁面に断熱処理を施す場合、それらの構造材の外面に断熱体を配置する外断熱と、内面に断熱体を配置する内断熱とがある。外断熱は工事に手間がかかり若干高価になる反面、建築物の躯体の温度変化が少なく、結露が生じにくいなどの利点があり、一般的には内断熱より外断熱の方が好ましいと言われている。
【０００３】
そして外断熱においては、断熱体が建築物の外側に配置されるため、特に建築物の屋根に適用した場合には、建築作業やその後の補修作業に際してその屋根の上を人が歩行する必要がある。
【０００４】
しかしながら、一般に断熱材は合成樹脂発泡体よりなり強度が弱いため、屋根の上面にかかる断熱材が露出してその上を人が歩行すると、断熱材は人の重量に耐えられない。そのため例えば特開平３−２２１６５６号公報に示されるように、断熱材の表面に金属板を貼り付けて補強した断熱パネルを使用することが行われている。
【０００５】
【発明が解決しようとする課題】
しかしながら断熱材に金属板を貼り付けただけの断熱パネルでは、その中央部に荷重がかかった場合には金属板の剛性によりある程度の荷重に耐えるが、断熱パネルの周縁部に荷重がかかると、金属板が撓んでその中の断熱材が凹み、断熱パネルが変形することが避けられない。
【０００６】
特開２００２−６１３３９号公報に示されるように、断熱材の両面及び外周をすべて金属板で覆うことにより、周縁部に荷重がかかっても外周部を覆った金属板の剛性によって変形を防止できるが、断熱材の外周を覆うために金属板に複雑な曲げ加工を施さなければならない。
【０００７】
また、建築物における施工対象の面に断熱パネルを敷き詰めて、対象面に半端が生じたときに、その半端に合わせて施工現場で断熱パネルを切断して寸法を合わせることが困難である。
【０００８】
本願発明はかかる事情に鑑みなされたものであって、その上で作業者の歩行が可能な程度に剛性を有し、かつ施工現場において容易に寸法を調整することの可能な断熱パネル及び、当該断熱パネルを使用した、建築物の面断熱構造を提供することを目的とするものである。
【０００９】
【課題を解決するための手段】
而して本発明の断熱パネルは、合成樹脂発泡体の表面に板体を設け、当該板体の少なくとも一縁に折曲げ部を形成し、当該折曲げ部を前記合成樹脂発泡体の側面の一部に沿わせたことを特徴とするものである。
【００１０】
またこの断熱パネルの発明においては、前記合成樹脂発泡体の側面に切り欠きを形成し、当該切り欠きに前記板体の折曲げ部を嵌合した構造とすることが好ましい。
【００１１】
また建築物の面断熱構造の第一の発明は、前記断熱パネルの発明における、板体の相対向する二縁に折曲げ部を形成してなる複数の第一断熱パネルを、建築物の面に敷き詰め、当該面の縁とその縁に対向する前記第一断熱パネルとの間に沿って、板体の一縁にのみ折曲げ部を形成してなる第二断熱パネルを配し、当該第二断熱パネルの合成樹脂発泡体を、前記折曲げ部を形成しない縁から、前記面の縁と第一断熱パネルとの間隔に相当する幅を残して切除し、残った合成樹脂発泡体を第一断熱パネルと前記面の縁との間に嵌合すると共に、切除した合成樹脂発泡体の部分に対応する部分の板体を隣接する第一断熱パネルの表面に重ねてなることを特徴とするものである。
【００１２】
また建築物の面断熱構造の第二の発明は、前記断熱パネルの発明における、板体の相対向する二縁に折曲げ部を形成してなる複数の第一断熱パネルを、建築物の面の一縁に沿って配置し、板体の一縁にのみ折曲げ部を形成してなる第二断熱パネルの、前記折曲げ部を形成しない縁から適宜の幅で合成樹脂発泡体を切除し、当該切除した合成樹脂発泡体に対応する部分の板体を隣接する断熱パネルの表面に重ねつつ、第二断熱パネルを前記建築物の残余の面に敷き詰めてなることを特徴とするものである。
【００１３】
【発明の実施の形態】
以下本発明の実施の形態を図面に従って説明する。図１及び図２は本発明の断熱パネル１を示すものであって、２は断熱材としての板状の合成樹脂発泡体であり、その片面に金属板３が設けられている。なおこの金属板３に代えて、ＦＲＰ板などの剛直な板体を使用することもできる。
【００１４】
図１の断熱パネル１においては、合成樹脂発泡体２の相対向する両側面に切り欠き４が形成され、前記金属板３の両側部には折曲げ部５が形成されており、当該折曲げ部５が前記切り欠き４に嵌合している。
【００１５】
また図２の断熱パネル１においては、合成樹脂発泡体２の一方の側面にのみ切り欠き４が形成され、そこに金属板３の一方の側部に形成された折曲げ部５が嵌合されており、他方の側部においては金属板３の側縁は合成樹脂発泡体２の側縁に一致して切放した状態となっている。
【００１６】
図３及び図４は、本発明の断熱パネル１を使用して形成した、建築物の面としての陸屋根に形成された断熱構造の一例を示すものであって、６は建築物の陸屋根を形成する屋根躯体であり、７は当該屋根躯体６の周囲に形成されたパラペットである。
【００１７】
そしてその屋根躯体６の上面には、前記本発明の断熱パネル１が敷き詰められ、断熱体を形成している。この例においては、断熱パネル１として、図１に示される、金属板３の両側部に折曲げ部５が形成された第一断熱パネル１ａと、図２に示される、金属板３の一方の側部にのみ折曲げ部５が形成された第二断熱パネル１ｂとが併用されている。
【００１８】
すなわち、まず屋根躯体６上に第一断熱パネル１ａを並べて、可能な範囲で敷き詰める。屋根躯体６の上面の幅が第一断熱パネル１ａの幅のちょうど整数倍であれば、第一断熱パネル１ａのみで屋根躯体６の上面を完全に覆うことができるが、このようなことはまれであり、多くの場合には屋根躯体６の縁に沿って第一断熱パネル１ａを敷き詰めることができない半端が生じる。
【００１９】
そこで、屋根躯体６の縁において、パラペット７とそれに対向する第一断熱パネル１ａとの間の半端部分に沿って第二断熱パネル１ｂを配し、当該第二断熱パネル１ｂの折曲げ部５を形成しない縁から、前記半端部分に相当する幅を残して合成樹脂発泡体２を切除する。
【００２０】
そして当該第二断熱パネル１ｂにおける残った合成樹脂発泡体２を前記半端部分に嵌合すると共に、切除した合成樹脂発泡体２に対応する部分の金属板３を、隣接する第一断熱パネル１ａの表面に重ねている。
【００２１】
なお断熱パネル１の長さ方向における半端部分も、当該半端部分に嵌合される各断熱パネル１における過剰の合成樹脂発泡体２を切除し、切除した合成樹脂発泡体２に対応する金属板３を隣接する断熱パネル１に嵌合することにより、半端部分を埋めることができる。
【００２２】
なお金属板３の折曲げ部５の剛性により隣接する断熱パネル１への嵌合が困難である場合には、当該嵌合する部分の折曲げ部５を切除し、又は上面部分に連続した平面を形成するように両側に拡げ、その金属板３を隣接する断熱パネル１に重ねることもできる。
【００２３】
また図５は、本発明の断熱パネル１を使用して形成した、陸屋根に形成された断熱構造の他の例を示すものであって、この例においても前記第一断熱パネル１ａと第二断熱パネル１ｂとを併用している。
【００２４】
すなわち、複数の第一断熱パネル１ａを屋根躯体６の一縁に沿って配置し、第二断熱パネル１ｂの、前記折曲げ部５を形成しない縁から適宜の幅で合成樹脂発泡体２を切除し、当該切除した合成樹脂発泡体２に対応する部分の金属板３を、順次隣接する断熱パネル１の表面に重ねつつ、第二断熱パネル１ｂを屋根躯体６の残余の面に敷き詰めている。
【００２５】
なおこの例においては、屋根躯体６に断熱パネル１で敷き詰めることのできない半端が生じるときには、前記第二断熱パネル１ｂにおける切除する合成樹脂発泡体２の幅を適宜調節することにより、半端が生じることなく屋根躯体６の全面に断熱パネル１を敷き詰めることができる。
【００２６】
本発明の面断熱構造により屋根躯体６の全面に断熱パネル１を敷き詰めた後、図４及び図５に示すように、断熱パネル１の表面からパラペット７の側面にかけて防水シート８などを貼着して、防水処理を施すのが好ましい。さらにその防水シート８の表面に、必要に応じて保護モルタルなどを施すことも好ましいことである。
【００２７】
【作用】
本発明の断熱パネル１においては、合成樹脂発泡体２の表面に金属板３が設けられているので、断熱パネル１の上に人が乗ったときには、金属板３の剛性により荷重が分散して一か所に集中することがなく、合成樹脂発泡体２が過度に変形することがない。
【００２８】
また断熱パネル１の縁に荷重がかかったときにも、その縁に折曲げ部５が形成されているため、金属板３の縁部において局部的な撓みが生じることがなく、合成樹脂発泡体２の変形が防止される。
【００２９】
また金属板３の一縁にのみ折曲げ部５が形成されている場合においても、その断熱パネル１を屋根躯体６に敷き詰めた状態においては、折曲げ部５を形成しない縁には隣接する断熱パネル１の折曲げ部５が位置することとなるので、その折曲げ部５で補強される。
【００３０】
さらに、断熱パネル１における折曲げ部５が形成されることのない両端部に荷重がかかったときにも、その両側部の少なくとも一縁に折曲げ部５が形成されているので、合成樹脂発泡体２が折曲げ部５を支える力により金属板３の撓みを支え、過度の変形が阻止される。
【００３１】
【発明の効果】
従って本発明によれば、断熱パネル１は構造が簡単であって安価に提供でき、且つその上で作業者の歩行が可能な程度に剛性を有すると共に、施工現場において容易に寸法を調節することが可能である。
【００３２】
また本発明の断熱構造は、二種類の前記断熱パネル１を組み合わせ、建築物の面の状態や寸法に応じて第二断熱パネル１ｂの合成樹脂発泡体２を一部切除することにより、容易に建築物の面の全体に敷き詰め、優れた断熱性を付与することができるのである。
【図面の簡単な説明】
【図１】本発明の断熱パネルの一例を示すものであって、（ａ）は平面図、（ｂ）は横断面図である。
【図２】本発明の断熱パネルの他の例を示すものであって、（ａ）は平面図、（ｂ）は横断面図である。
【図３】本発明の第一の断熱構造を示す斜視図
【図４】本発明の第一の断熱構造の横断面図
【図５】本発明の第二の断熱構造の横断面図
【符号の説明】
１  断熱パネル
２  合成樹脂発泡体
３  金属板（板体）
４  切り欠き
５  折曲げ部
【図１】
2004332269.tif 000003
【図２】
2004332269.tif 000004
【図３】
2004332269.tif 000005
【図４】
2004332269.tif 000006
【図５】
2004332269.tif 000007